(57)【要約】【課題】多段重ねで使用する際の設置安定性が優れ、また箱状でありながら、持ち上げることが容易な商品陳列台を提供すること。【解決手段】矩形状の天板を有する底板なし箱状の陳列本体部１を備える商品陳列台１０であって、天板１１には、平らな天面を有する短足状の突起１９が多数形成され、天板１１の四隅に丸棒部材が係合する係合孔１３が形成され、天板１１には、把持用の貫通孔１４、１５を備える。【選択図】図１
0003154732.tif 000002
【実用新案登録請求の範囲】
【請求項１】
矩形状の天板を有する底板なし箱状の陳列本体部を備える商品陳列台であって、該天板には、平らな天面を有する短足状の突起が多数形成され、該天板の四隅に丸棒部材が係合する係合孔が形成され、該天板には、把持用の貫通孔を備えることを特徴とする商品陳列台。
【請求項２】
該把持用の貫通孔は、該天板の四辺の中の対応する一辺間の略中央で、他の対応する一辺の右側寄りに右手で把持する一対の右把持孔及び他の対応する一辺の左側寄りに左手で把持する一対の左把持孔であることを特徴とする請求項１記載の商品陳列台。
【請求項３】
前記突起は、平面視が正四角形状であるか又は平面視が円形状であることを特徴とする請求項１又は２記載の商品陳列台。
【請求項４】
前記突起は、前後方向及び左右方向において、規則正しく配置されていることを特徴とする請求項１〜３のいずれか１項に記載の商品陳列台。
【請求項５】
該陳列本体部の裏側の四隅には、ケース状の脚部材取り付け部が形成され、該脚部材取り付け部に、脚部材を取り付けることを特徴とする請求項１〜４のいずれか１項に記載の商品陳列台。
【請求項６】
該陳列本体部の裏側には、脚部材を寝かせて収納する脚部材収納部を形成することを特徴とする請求項１〜５のいずれか１項に記載の商品陳列台。
【請求項７】
該脚部材の地面側の端面には、該碁盤目の目を形成する四角溝に係合する該四角溝に対応する断面形状の係合枠を形成することを特徴とする請求項５又は６記載の商品陳列台。
【請求項８】
該突起間に形成される溝内に、水抜き用の孔を形成することを特徴とする請求項１〜７のいずれか１項に記載の商品陳列台。
【請求項９】
該天板の係合孔に係合する、線材を屈曲させて得られるコ字形状の商品転落防止部材を更に備えることを特徴とする請求項１〜８のいずれか１項に記載の商品陳列台。
【請求項１０】
該天板の係合孔に係合する、縦線材及び横線材で網目状に形成される商品囲み部材を更に備えることを特徴とする請求項１〜９のいずれか１項に記載の商品陳列台。
【請求項１１】
該天板の係合孔に係合する、線材をアーチ状に屈曲させて得られるＰＯＰアーチ部材を更に備えることを特徴とする請求項１〜１０のいずれか１項に記載の商品陳列台。
【請求項１２】
該天板の面積より小で平らな天面を有する短足状の突起が多数形成された矩形状の第２天板を有する底板なし箱状の陳列本体部を有し、該商品陳列台の天板面に載せて使用する第２商品陳列台を更に備えることを特徴とする請求項１記載の商品陳列台。
【請求項１３】
該天板の面積より小で平らな天面を有する短足状の突起が多数形成された矩形状の第３天板を有する底板と側板が共にない脚付き陳列本体部を有し、該商品陳列台の天板面に載せて使用する第３商品陳列台を更に備えることを特徴とする請求項１記載の商品陳列台。
【考案の詳細な説明】
【技術分野】
【０００１】
本考案は、スーパーや量販店において、商品を陳列する際に使用される商品の種々の陳列を演出できるステージ状の商品陳列台に関するものである。
【背景技術】
【０００２】
スーパー、量販店、ホームセンターなどにおいて、商品を陳列する際に使用される高さが比較的低いステージ状の商品陳列台としては、箱状のものが知られていた。このような、ステージ状の商品陳列台は、陳列面となる天板の面積が異なる大小の組み合わせにより、商品の種々の陳列形態を演出できる。
【考案の開示】
【考案が解決しようとする課題】
【０００３】
しかしながら、従来のステージ状の商品陳列台は、２段で使用する場合、上段の商品陳列台は、下段の商品陳列台の天板上に単に載せるだけであり、設置安定性が欠けるものであった。また、天板の面積が大きな下段の商品陳列台は設置面に設置する際、手で持つ箇所がなく、二人で持ち上げる方法で行っていて不便であった。
【０００４】
従って、本考案の目的は、多段重ねで使用する際の設置安定性が優れ、また箱状でありながら、持ち上げることが容易な商品陳列台を提供することにある。
【課題を解決するための手段】
【０００５】
かかる実情において、本考案者は鋭意検討を行った結果、矩形状の天板を有する底板なし箱状の陳列本体部を備えるものであって、該天板に、平らな天面を有する短足状の突起を多数形成し、更に把持用の貫通孔を形成した商品陳列台であれば、多段重ねで使用する際の設置安定性が優れ、また箱状でありながら、持ち上げることが容易であることを見出し、本考案を完成するに至った。
【０００６】
すなわち、本考案は、矩形状の天板を有する底板なし箱状の陳列本体部を備える商品陳列台であって、該天板には、平らな天面を有する短足状の突起が多数形成され、該天板の四隅に丸棒部材が係合する係合孔が形成され、該天板には、把持用の貫通孔を備えることを特徴とする商品陳列台を提供するものである。
【考案の効果】
【０００７】
本考案の商品陳列台によれば、天板の突起間に形成される溝に箱状の側板の角部を係合させたり、脚部材の先端の係合枠を係合させれば、多段重ねでも設置が安定する。また把持用の貫通孔に手を入れて商品陳列台を持ち上げることができる。特に一対の右把持孔部を右指で把持し、一対の左把持孔部を左指で把持すれば、両手で商品陳列台を持ち上げたり、移動させることが容易となる。また、脚部材は陳列本体部の裏面に収納できるため、保管が便利となる。また、突起間に形成される溝内に水抜き用の孔を形成したため、園芸用品の陳列においても水の抜けがよく、見栄えがよい。また、商品転落防止部材、商品囲み部材あるいはＰＯＰアーチ部材を利用すれば、商品の多用な陳列の演出が可能となる。また、大小の商品陳列台あるいは補助パーツを組み合わせた多段陳列を行なえば、一層興味ある商品陳列が可能となる。
【図面の簡単な説明】
【０００８】
【図１】本実施の形態における商品陳列台の斜視図である。
【図２】図１の商品陳列台を裏側から見た斜視図である。
【図３】図２の商品陳列台において脚部材の取り付け及び収納状態を示す図である。
【図４】本実施の形態における他の商品陳列台の斜視図である。
【図５】本実施の形態における他の商品陳列台の斜視図である。
【図６】本実施の形態における他の商品陳列台の斜視図である。
【図７】本実施の形態における他の商品陳列台の斜視図である。
【図８】本実施の形態における他の商品陳列台の斜視図である。
【図９】本考案において付加的に使用される補助部材の斜視図である。
【図１０】本考案において付加的に使用される他の補助部材の斜視図である。
【図１１】本実施の形態における他の商品陳列台の斜視図である。
【図１２】本実施の形態における他の商品陳列台の斜視図である。
【図１３】本実施の形態における他の商品陳列台の斜視図である。
【図１４】本実施の形態における他の商品陳列台の斜視図である。
【図１５】本実施の形態における他の商品陳列台の斜視図である。
【図１６】本実施の形態における他の商品陳列台の斜視図である。
【図１７】本実施の形態における他の商品陳列台の斜視図である。
【図１８】本実施の形態における他の商品陳列台の斜視図である。
【図１９】図１の商品陳列台の側面図である。
【考案を実施するための形態】
【０００９】
次に、本考案の第１実施の形態における商品陳列台を図１及び図２を参照して説明する。商品陳列台１０は、矩形状の天板１１を有する底板なし箱状の陳列本体部１を備えるものであって、天板１１には、平らな天面を有する短足状の突起１９が多数形成され、天板１１の四隅に丸棒部材が係合する係合孔１３が形成され、更に、把持用の貫通孔１４、１５を備える。商品陳列台１０は樹脂製であり中抜きであるため、軽量且つ高強度である。
【００１０】
商品陳列台１０においては、平らな天面を有する短足状の正四角形の突起１９が都合４８個形成されている。また、平らな天面を有する短足状の正四角形の突起１９は、左右方向及び前後方向に規則正しく形成されている。これにより、天板面は碁盤目状の溝１２が形成されたようになっている。短足状とは突起の高さ（図１９中、符号ｈ）が小であることを意味し、例えば突起高さが２〜１０ｍｍ、好適には３〜６ｍｍ程度のものである。突起高さが小さ過ぎると、積み重ねた場合、設置安定性が劣り、高すぎると、ゴミなどが溜まり易くなる。
【００１１】
本考案において、平らな天面を有する短足状の突起１９としては、上記形態に限定されず、平面視が円形状のものであってもよい。平らな天面を有する短足状の突起１９が平面視で円形状の場合、突起１９間で形成される溝の形状が、２つの突起で囲まれる部分の溝形状と、４つの突起で囲まれる部分の溝形状とが異なるが、このような場合であっても本願発明の効果を奏する。
【００１２】
底板なし箱状の陳列本体部１は、天板１１と四方の側板とからなり、裏面には縦リブ２１と横リブ２２が形成された補強構造となっている。底板なし箱状の陳列本体部１は、図１の大きさに限定されず、使用目的により、天板の面積が異なるもの、高さが異なるものなどが使用できる。
【００１３】
突起１９間に形成される溝（図１では碁盤目状の溝）１２は、サイズの異なる同じ構造の他の商品陳列台又は補助陳列台を商品陳列台１０に載せた際、位置決めができ、またズレを防止できる。碁盤目の目（溝）の一辺長さは、角状脚部材の先端の係合枠３１の一辺長さに対応するため、概ね６０〜８０ｍｍである。目の一辺長さが短過ぎると、上段の陳列台の設置が安定せず、また、長過ぎると太い脚部材を使用することになり、天板の面積が制限されることになる。碁盤目は、完全な碁盤目である必要はなく、任意の目において、不完全な目があってもよい。図１の商品陳列台１０では四隅の目及び縁部の中央の目において、溝に連続する欠落部があり、この欠落部に丸棒部材が係合する２つの係合孔１７ａ、１７ｂを形成している。また、目の欠落部または溝１２には、更に水抜き用の孔１１１を形成してもよい。係合孔１７ａ、１７ｂには、商品転落防止部材４等の脚部が係合されることになる。また、水抜き用の孔１１１を形成することで、園芸品の陳列で漏れた水や撒いた水が天板から排除でき、都合がよい。係合孔１７ａ、１７ｂは、貫通穴として、水やゴミの排出を容易にするとともに、孔の内壁に環状の突起を設け、該突起で丸棒部材の下端を支持している。
【００１４】
また、天板１１の四隅であって、突起１９の天面に丸棒部材が係合する係合孔１３が形成されている。すなわち、本例では、天板１１の四隅には、３つの孔が形成されている。３つの孔の中、１つの孔である係合孔１３は、他の２つの孔である係合孔１７ａ、１７ｂより孔径が大であり、太い脚部材の取り付けを可能にしている。係合孔１３は、貫通穴として、水やゴミの排出を容易にするとともに、孔の内壁に環状の突起を設け、該突起で丸棒部材の下端を支持している。
【００１５】
図１の商品陳列台１０において、把持用の貫通孔１５は、天板１１の四辺の中の対応する一辺ａ、ａ間の略中央で、他の対応する一辺ｂの右側寄りに右手で把持する一対の右把持孔１４と他の対応する一辺ｂの左側寄りに左手で把持する一対の左把持孔１５の都合４つである。
【００１６】
天板１１に形成される把持用の貫通孔、すなわち、図１では一対の右把持孔１４と一対の左把持孔１５は、左右方向の対象位置にあって同形状であり、いずれが「右」であっても「左」であってもよい。すなわち、「右」及び「左」は、人が把持する場合における位置関係を言う。従って、一対の右把持孔１４と一対の左把持孔１５は同じ説明となるため、一対の右把持孔１４について説明し、一対の左把持孔１５の説明を省略する。一対の右把持孔１４は、天板１１の四辺の中の対応する一辺ａ、ａ間の略中央で、他の一辺ｂ側寄りに形成されるもので、一辺ａ、ａ間の中心線を挟んだ２つの孔からなるものである。孔の一辺ａの辺長さ方向における長さは、指４本が入る程度の長さであればよい。これにより手で容易に把持できる。また、右把持孔１４における２つの孔間の距離は親指と親指以外の他の指で把持するに適した寸法であればよい。一対の右把持孔１４と一対の左把持孔１５を、一辺ａ、ａ間の略中央で、且つ左右対称位置に設置することで、安定して持ち上げたり、移動させたりすることができる。
【００１７】
本考案において、把持用の貫通孔１４、１５は、上記の形態に限定されず、例えば、天板１１の中央に１個のもの、天板１１の四辺の中の対応する一辺ａ、ａ間の略中央で、他の対応する一辺ｂの右側寄りに右手を入れる右把持孔１４と他の対応する一辺ｂの左側寄りに左手を入れる左把持孔１５の都合２個のものなどであってもよい。これにより、右把持孔１４に右指を入れ、左把持孔１５に左指を入れることで商品陳列台１０を容易に持ち上げることができる。
【００１８】
天板１１上に表れる細長状の貫通する孔部１６は、裏面側に爪状の脚部材収納部を金型で作製する際に形成されるものである。
【００１９】
商品陳列台１０において、陳列本体部１の裏側の四隅には、ケース状の脚部材取り付け部１８が形成されている。これにより、脚部材３をケース状の脚部材取り付け部１８に差し込むことで取り付けて、天板１１の高さを上げている。また、ケース状の脚部材取り付け部１８の端面形状は、天板１１の碁盤目の目の形状に対応している。また、陳列本体部１の四つの側板の下端は、脚部材取り付け部１８以外の部分は少し切りかかれている。このため、商品陳列台１０を積み重ねた際、ケース状の脚部材取り付け部１８が天板１１の碁盤目の目に嵌り、設置が安定する。ケース状の脚部材取り付け部１８の形成位置は、厳密に陳列本体部１の裏側の四隅に限定されず、四隅の近傍であればよい。また、天板が大の商品陳列台１０の場合、更に裏面の中央に、ケース状の脚部材取り付け部１８を形成してもよい。これにより、陳列商品の重量が大となっても安定して陳列できる。
【００２０】
また、商品陳列台１０の裏側には、脚部材３を寝かせて収納する脚部材収納部２３が形成されている。脚部材収納部２３は、天板裏面から垂下する一対の爪部材２３１及びリブ部材である板材２３２からなる。一対の爪部材２３１は脚部材３を長手方向の２箇所で且つ両側から弾発力により挟むことで外れないようにしている。また、板材２３２は脚部材３の枕となる。脚部材収納部２３は商品陳列台１０の裏側に４箇所形成されている。このため、脚部材３の４本が収納できる。なお、大きな商品陳列台１０の場合、脚部材収納部２３を５箇所に形成してもよい。
【００２１】
商品陳列台１０は、天板の面積が異なる複数台を多段で使用する際、設置が安定する。また一対の右把持孔部を右指で把持し、一対の左把持孔部を左指で把持すれば、両手で商品陳列台を持ち上げたり、移動させることが容易となる。また、碁盤目の溝内に水抜き用の孔を形成したため、園芸用品の陳列においても水の抜けがよく、見栄えがよい。また、四隅の係合孔を利用すれば、ＰＯＰアーチ部材など種々のアクセサリー部材を利用することができる。
【００２２】
次に、本考案の第２の実施の形態における商品陳列台を図３及び図４を参照して説明する。図３及び図４の商品陳列台において、図１及び図２の商品陳列台と同一構成要素には同一符号を付してその説明を省略し、異なる点について主に説明する。すなわち、第２の実施の形態における商品陳列台１０ａにおいて、第１の実施の形態における商品陳列台と異なる点は、商品陳列台１０の脚部材取り付け部１８に脚部材３を取り付けた点にある。脚部材３は角柱形状であり、脚部材取り付け部１８に抜き差し自在である。また、脚部材３の地面側（設置側）の先端３２には、碁盤目の目を形成する四角溝に対応する断面形状であって短尺（短足）の係合枠３１が形成されている。これにより、図４に示すような脚部材付き商品陳列台１０ａを図１に示すような商品陳列台１０に載せる際、係合枠３１が碁盤目の目を形成する四角溝に係合するため、設置が安定する。なお、図３中、符号３１１はリブ部材である。脚部材３は中空部材であるため、十字状のリブ部材３１１を配して強度を高めている。
【００２３】
商品陳列台１０及び商品陳列台１０ａは、天板の面積が同一あるいは異なるものをそれぞれ複数台準備し、種々組み合わせて、図１４〜図１７に示すような種々の陳列形態を演出できる。図１４の商品陳列台１０ｉは、天板の面積が同一の２つの商品陳列台１０ａの短辺をつき合わせて横長状の陳列面としたものである。図１５の商品陳列台１０ｊは、天板の面積が同一の２つの商品陳列台１０ａの長辺同士をつき合わせた陳列面として下段を形成し、且つその略中央部に、天板の面積が商品陳列台１０の天板の面積より小の商品陳列台１０ａを載せて上段陳列面を形成したものである。図１６の商品陳列台１０ｋは、天板の面積が同一の８つの商品陳列台１０ａ及び天板の面積がそれより小の商品陳列台１０ａを準備し、６つの商品陳列台１０ａで下段の陳列面を形成し、２つの商品陳列台１０ａの長辺同士をつき合わせて中段の陳列面を形成し、中段の陳列面の略中央に小の商品陳列台１０ａを載せて上段の陳列面を形成したものである。また、図１７の商品陳列台１０ｌは天板の面積が同一の４つの商品陳列台１０で下段の陳列面を形成し、その上に天板の面積が同一の４つの商品陳列台１０ａを載せて上段の陳列面を形成したものである。
【００２４】
次に、本考案の第３の実施の形態における商品陳列台を図５を参照して説明する。図５の商品陳列台において、図１及び図２の商品陳列台と同一構成要素には同一符号を付してその説明を省略し、異なる点について主に説明する。すなわち、第３の実施の形態における商品陳列台１０ｂにおいて、第１の実施の形態における商品陳列台と異なる点は、天板１１の係合孔１７ａ、１７ｂに係合する、線材を屈曲させて得られるコ字形状の商品転落防止部材４を更に備えた点にある。商品転落防止部材４が係合する係合孔は、天板の四隅に２箇所及び各辺の中央に２箇所で、都合１６箇所である。商品転落防止部材４の形状及び利用する係合孔は図５のものに限定されず、陳列する商品の大きさ、天板の大きさなどにより、適宜決定される。商品陳列台１０ｂによれば、陳列する商品の転落を防止できる。商品転落防止部材４の高さは、商品によっては低くてもよい。
【００２５】
次に、本考案の第４の実施の形態における商品陳列台を図６を参照して説明する。図６の商品陳列台において、図１及び図２の商品陳列台と同一構成要素には同一符号を付してその説明を省略し、異なる点について主に説明する。すなわち、第４の実施の形態における商品陳列台１０ｃにおいて、第１の実施の形態における商品陳列台と異なる点は、天板１１の大きな係合孔１３に係合する、線材をアーチ状に屈曲させて得られるＰＯＰアーチ部材５を更に備えることにある。線材をアーチ状に屈曲させて得られるＰＯＰ（point of purpose）アーチ部材５は公知のものが使用できる。本例のＰＯＰアーチ部材５はクリップ５１により高さ調整が自在のものであり、横桟部材５３に不図示のＰＯＰカードをクリップ５４で留めて顧客の目を惹くようにしたものである。
【００２６】
次に、本考案の第５の実施の形態における商品陳列台を図７を参照して説明する。図７の商品陳列台において、図１及び図２の商品陳列台と同一構成要素には同一符号を付してその説明を省略し、異なる点について主に説明する。すなわち、第５の実施の形態における商品陳列台１０ｄにおいて、第１の実施の形態における商品陳列台１０と異なる点は、天板１１の係合孔１７ａ、１７ｂに係合する、縦線材及び横線材で網目状に形成される商品囲み部材６を更に備えた点にある。商品囲み部材６が係合する係合孔は、本例では、天板１１の四隅の２つの孔１７ａ、１７ｂであり、都合８つの係合孔である。縦線材及び横線材で網目状に形成される商品囲み部材６としては、公知の商品囲み部材を使用できる。商品囲み部材６は、図７のものに限定されず、高さが異なるもの、網目の形状が異なるものなどが使用できる。
【００２７】
次に、本考案の第６の実施の形態における商品陳列台を図８を参照して説明する。図８の商品陳列台において、図１及び図２の商品陳列台と同一構成要素には同一符号を付してその説明を省略し、異なる点について主に説明する。すなわち、第６の実施の形態における商品陳列台１０ｅにおいて、第１の実施の形態における商品陳列台１０と異なる点は、キャスター７を取り付けた点にある。キャスター７は公知のものが使用でき、キャスター軸を陳列本体部１の裏面のケース状の脚部材取り付け部１８近傍に設けた軸孔２４に螺子込むなどして取り付ければよい。
【００２８】
次に、本考案の第７の実施の形態における商品陳列台を図１１を参照して説明する。図１１の商品陳列台において、図３及び図４の商品陳列台と同一構成要素には同一符号を付してその説明を省略し、異なる点について主に説明する。すなわち、第７の実施の形態における商品陳列台１０ｆにおいて、第２の実施の形態における商品陳列台１０ａと異なる点は、天板の面積が大の陳列本体部とし、脚部材３を更に裏側中央にも設け５本足の商品陳列台１０ａとした点、商品陳列台１０ａの端部に補助パーツである第２商品陳列台を３つ横並びで載せた点にある。
【００２９】
第２商品陳列台は、図９に示すように、下段の商品陳列台１０ａの天板の面積より小で平らな天面を有する短足状の突起１９が多数形成された矩形状の第２天板５１を有する底板なし箱状の陳列本体部を有する商品陳列台５０である。商品陳列台５０は平らな天面を有する短足状の突起１９が多数形成されることで、碁盤目状の陳列面を形成する。商品陳列台５０の碁盤目の目は、下段の商品陳列台１０ａの天板の碁盤目と同じ大きさ、同じ形状である。商品陳列台１０ｆによれば、下段が足付き、上段がサイコロ状箱体の脚付きひな壇形状であり、従来にはない趣のある天板を演出できる。
【００３０】
補助パーツである第２の商品陳列台５０と、商品陳列台１０及び/又は商品陳列台１０ａを組み合わせて種々の陳列形態を形成することができる。第２の商品陳列台５０と商品陳列台１０ａとの組み合わせの例としては、例えば図１２の商品陳列台１０ｇに示すように、天板が大の商品陳列台１０ａを２台、長辺をつき合わせて下段陳列面を形成し、次いで、天板が下段のものより小の商品陳列台１０ａを２台、つき合わせて中段陳列面を形成し、更に第２の商品陳列台５０の３台を横並びにして上段を形成し、ひな壇形状の陳列面としたものが挙げられる。また、例えば図１３の商品陳列台１０ｈに示すように、商品陳列台１０ａの１台と、第２の商品陳列台５０の１台を天板が面一となるように並べて下段陳列面を形成し、次いで、天板が下段のものより小の商品陳列台１０ａを２台、つき合わせて上段陳列面を形成し、２段の陳列面としたものが挙げられる。
【００３１】
また、補助パーツは、図１０に示すように、下段の商品陳列台１０ａの天板の面積より小で平らな天面を有する短足状の突起１９が多数形成された矩形状の第３天板６１を有する底板と側板が共にない脚付き陳列本体部を有する商品陳列台６０（第３の商品陳列台）であってもよい。すなわち、商品陳列台６０は、天板を支える土台部分が、４つの縦桟部材（柱部材）６３と、縦桟部材６３の先端を連結する横桟部材６４からなるため、縦桟部材間が素通しとなり、天板より下方の空間部分にも商品を陳列することができる。
【００３２】
補助パーツである第３の商品陳列台６０と、商品陳列台１０及び/又は商品陳列台１０ａを組み合わせて種々の陳列形態を形成することができる。第３の商品陳列台６０と商品陳列台１０及び商品陳列台１０ａとの組み合わせの例としては、例えば図１８の商品陳列台１０ｍに示すように、天板が大の商品陳列台１０ａを４台、長辺及び短辺をそれぞれつき合わせて下段陳列面を形成し、次いで、脚部材なしの商品陳列台１０を２台、長辺をつき合わせて中段陳列面を形成し、中段陳列面の上に、３６台の第３の商品陳列台６０をジャングルジム状に載せた檻状の陳列面としたものが挙げられる。３６台の第３の商品陳列台６０は、３段の中のそれぞれの段が３個×４個を並べたものである。商品陳列台１０ｍは、３段目がジャングルジム状であり、縦桟部材から素通しで陳列商品が見れるため、趣のある演出が可能となる。なお、図１８中、中段の商品陳列台１０の表面は簡略化のため、碁盤目の記載を省略している。
【産業上の利用可能性】
【００３３】
本考案の商品陳列台によれば、スーパー、量販店、ホームセンターなどの屋内及び屋外において、高さが比較的低いステージ状の商品陳列台としては、商品の種々の陳列形態を演出できる。また、天板の面積が異なる複数台を横並び又は積み重ねて使用すれば、従来にない、趣のある陳列形態を演出できる。
【符号の説明】
【００３４】
１      陳列本体部
３      脚部材
４      商品転落防止部材
５      ＰＯＰアーチ部材
６      商品囲み部材
７      キャスター
１０、１０ａ〜１０ｍ  商品陳列台
１１      天板
１２      碁盤目
１３      係合孔
１４      右把持凹部
１５      左把持凹部
１９      平らな天面を有する突起
５０      第２の商品陳列台（補助パーツ）
６０      第３の商品陳列台（補助パーツ）
【図１】
0003154732.tif 000003
【図２】
0003154732.tif 000004
【図３】
0003154732.tif 000005
【図４】
0003154732.tif 000006
【図５】
0003154732.tif 000007
【図６】
0003154732.tif 000008
【図７】
0003154732.tif 000009
【図８】
0003154732.tif 000010
【図９】
0003154732.tif 000011
【図１０】
0003154732.tif 000012
【図１１】
0003154732.tif 000013
【図１２】
0003154732.tif 000014
【図１３】
0003154732.tif 000015
【図１４】
0003154732.tif 000016
【図１５】
0003154732.tif 000017
【図１６】
0003154732.tif 000018
【図１７】
0003154732.tif 000019
【図１８】
0003154732.tif 000020
【図１９】
0003154732.tif 000021